【手続補正書】
【提出日】平成22年10月22日(2010.10.22)
【手続補正１】
【補正対象書類名】特許請求の範囲
【補正対象項目名】全文
【補正方法】変更
【補正の内容】
【特許請求の範囲】
【請求項１】
画像を表示する表示素子上に保護板が配置されてなる保護板一体型表示パネルの製造方法において、
平坦で且つ複数の箇所に吸気孔が設けられた支持面を有する基台の当該支持面上に前記表示素子を載置する第一工程と、
前記基台の支持面とその上に載置された前記表示素子との間の空気を複数の前記吸気孔から吸引し、前記表示素子を前記支持面に吸着する第二工程と、
前記保護板の前記表示素子との対向面及び前記表示素子の前記保護板との対向面のうちいずれか一方の対向面に、前記表示素子の画面エリアに対応する領域を囲むように枠状に第１スペーサを設ける第三工程と、
前記保護板及び前記表示素子のうち前記第１スペーサが設けられた一方の部材の、前記第１スペーサにより囲われた領域に、未重合樹脂からなる充填材を供給する第四工程と、
前記保護板及び前記表示素子の前記各対向面に前記第１スペーサが当接するように、前記保護板及び前記表示素子を配置する第五工程と、
前記表示素子を前記支持面に吸着した状態を維持したまま、前記充填材を重合させる第六工程と、を備えることを特徴とする保護板一体型表示パネルの製造方法。
【請求項２】
前記基台は、前記支持面の少なくとも前記表示素子の中央部に対応する部分と、前記表示素子の周縁と前記中央部との間の部分と、にそれぞれ吸気孔を有していることを特徴とする請求項１に記載の保護板一体型表示パネルの製造方法。
【請求項３】
前記第五工程は、前記保護板及び前記表示素子を互いに近づけることにより、前記充填材を前記第１スペーサにより囲われた領域全体に押し広げる工程を含むことを特徴とする請求１又は２に記載の保護板一体型表示パネルの製造方法。
【請求項４】
前記充填材は少なくとも紫外線重合性をもった樹脂からなり、前記第六工程は、前記基台の支持面への前記表示素子の吸着を維持した状態で、前記充填材の層のうちの予め定めた部分の前記充填材を紫外線重合させ、その後に、前記吸着を解除し、前記充填材を前記充填材の層の全体にわたって紫外線重合させる工程を含むことを特徴とする請求項１〜３の何れかに記載の保護板一体型表示パネルの製造方法。
【請求項５】
画像を表示する表示素子上に保護板が配置されてなる保護板一体型表示パネルの製造方法において、
平坦な支持面を有する基台の当該支持面上に前記表示素子を載置する第一工程と、
前記保護板の前記表示素子との対向面及び前記表示素子の前記保護板との対向面のうちいずれか一方の第１スペーサ形成用対向面に、前記表示素子の画面エリアに対応する領域を囲むように枠状に第１スペーサを設ける第三工程と、
前記保護板の前記対向面及び前記表示素子の前記対向面のうちいずれか一方の第２スペーサ形成用対向面に、前記表示素子の画面エリアに対応する領域内の予め定めた位置に対応させて、前記充填材の重合後の光屈折率と同じ光屈折率を有する第２スペーサを設ける第四工程と、
前記保護板及び前記表示素子のうち前記第１スペーサが設けられた一方の部材の、前記第１スペーサにより囲われた領域に、未重合樹脂からなる充填材を供給する第五工程と、
前記保護板及び前記表示素子の前記各対向面に前記第１スペーサと前記第２スペーサとが当接するように、前記保護板及び前記表示素子を配置する第六工程と、
前記保護板と前記表示素子とを互いに近づけるように押圧して前記表示素子を前記基台の支持面に押し付けた状態を維持したまま、前記充填材を重合させる第七工程と、を備えることを特徴とする保護板一体型表示パネルの製造方法。
【請求項６】
前記第２スペーサの厚さと前記第１スペーサの厚さとが同じ厚さであることを特徴とする請求項５に記載の保護板一体型表示パネルの製造方法。
【請求項７】
前記第２スペーサは、少なくとも前記表示素子の中央部に対応する部分に配置すること
を特徴とする請求項５又は６に記載の保護板一体型表示パネルの製造方法。
【請求項８】
前記充填材は少なくとも紫外線重合性をもった樹脂からなり、前記第七工程は、前記保護板と前記表示素子とを互いに近づけるように押圧して前記表示素子を前記基台の支持面に押し付けたまま、前記充填材の層のうちの予め定めた部分の前記充填材を紫外線重合させ、その後に、前記押圧を解除し、前記充填材を前記充填材の層の全体にわたって紫外線重合させる工程を含むことを特徴とする請求項５〜７の何れかに記載の保護板一体型表示パネルの製造方法。
【請求項９】
前記充填材の予め定めた部分は、少なくとも表示素子の中央部に対応する部分であることを特徴とする請求項４または８に記載の保護板一体型表示パネルの製造方法。
【手続補正２】
【補正対象書類名】明細書
【補正対象項目名】０００５
【補正方法】変更
【補正の内容】
【０００５】
請求項１に記載の発明は、画像を表示する表示素子上に保護板が配置されてなる保護板一体型表示パネルの製造方法において、
平坦で且つ複数の箇所に吸気孔が設けられた支持面を有する基台の当該支持面上に前記表示素子を載置する第一工程と、
前記基台の支持面とその上に載置された前記表示素子との間の空気を複数の前記吸気孔から吸引し、前記表示素子を前記支持面に吸着する第二工程と、
前記保護板の前記表示素子との対向面及び前記表示素子の前記保護板との対向面のうちいずれか一方の対向面に、前記表示素子の画面エリアに対応する領域を囲むように枠状に第１スペーサを設ける第三工程と、
前記保護板及び前記表示素子のうち前記第１スペーサが設けられた一方の部材の、前記第１スペーサにより囲われた領域に、未重合樹脂からなる充填材を供給する第四工程と、
前記保護板及び前記表示素子の前記各対向面に前記第１スペーサが当接するように、前記保護板及び前記表示素子を配置する第五工程と、
前記表示素子を前記支持面に吸着した状態を維持したまま、前記充填材を重合させる第六工程と、を備えることを特徴とする。
【手続補正３】
【補正対象書類名】明細書
【補正対象項目名】０００６
【補正方法】変更
【補正の内容】
【０００６】
請求項２に記載の発明は、前記請求項１に記載の保護板一体型表示パネルの製造方法において、前記基台は、前記支持面の少なくとも前記表示素子の中央部に対応する部分と、前記表示素子の周縁と前記中央部との間の部分と、にそれぞれ吸気孔を有していることを特徴とする。
【手続補正４】
【補正対象書類名】明細書
【補正対象項目名】０００７
【補正方法】変更
【補正の内容】
【０００７】
請求項３に記載の発明は、前記請求項１又は２に記載の保護板一体型表示パネルの製造方法において、前記第五工程は、前記保護板及び前記表示素子を互いに近づけることにより、前記充填材を前記第１スペーサにより囲われた領域全体に押し広げる工程を含むことを特徴とする。
【手続補正５】
【補正対象書類名】明細書
【補正対象項目名】０００８
【補正方法】変更
【補正の内容】
【０００８】
請求項４に記載の発明は、前記請求項１〜３の何れかに記載の保護板一体型表示パネルの製造方法において、前記充填材は少なくとも紫外線重合性をもった樹脂からなり、前記第六工程は、前記基台の支持面への前記表示素子の吸着を維持した状態で、前記充填材の層のうちの予め定めた部分の前記充填材を紫外線重合させ、その後に、前記吸着を解除し、前記充填材を前記充填材の層の全体にわたって紫外線重合させる工程を含むことを特徴とする
【手続補正６】
【補正対象書類名】明細書
【補正対象項目名】０００９
【補正方法】変更
【補正の内容】
【０００９】
請求項５に記載の発明は、画像を表示する表示素子上に保護板が配置されてなる保護板一体型表示パネルの製造方法において、
平坦な支持面を有する基台の当該支持面上に前記表示素子を載置する第一工程と、
前記保護板の前記表示素子との対向面及び前記表示素子の前記保護板との対向面のうちいずれか一方の第１スペーサ形成用対向面に、前記表示素子の画面エリアに対応する領域を囲むように枠状に第１スペーサを設ける第三工程と、
前記保護板の前記対向面及び前記表示素子の前記対向面のうちいずれか一方の第２スペーサ形成用対向面に、前記表示素子の画面エリアに対応する領域内の予め定めた位置に対応させて、前記充填材の重合後の光屈折率と同じ光屈折率を有する第２スペーサを設ける第四工程と、
前記保護板及び前記表示素子のうち前記第１スペーサが設けられた一方の部材の、前記第１スペーサにより囲われた領域に、未重合樹脂からなる充填材を供給する第五工程と、
前記保護板及び前記表示素子の前記各対向面に前記第１スペーサと前記第２スペーサとが当接するように、前記保護板及び前記表示素子を配置する第六工程と、
前記保護板と前記表示素子とを互いに近づけるように押圧して前記表示素子を前記基台の支持面に押し付けた状態を維持したまま、前記充填材を重合させる第七工程と、を備えることを特徴とする。
【手続補正７】
【補正対象書類名】明細書
【補正対象項目名】００１０
【補正方法】変更
【補正の内容】
【００１０】
請求項６に記載の発明は、前記請求項５に記載の保護板一体型表示パネルの製造方法において、前記第２スペーサの厚さと前記第１スペーサの厚さとが同じ厚さであることを特徴とする。
【手続補正８】
【補正対象書類名】明細書
【補正対象項目名】００１１
【補正方法】変更
【補正の内容】
【００１１】
請求項７に記載の発明は、前記請求項５又は６に記載の保護板一体型表示パネルの製造
方法において、前記第２スペーサは、少なくとも前記表示素子の中央部に対応する部分に配置することを特徴とする。
【手続補正９】
【補正対象書類名】明細書
【補正対象項目名】００１２
【補正方法】変更
【補正の内容】
【００１２】
請求項８に記載の発明は、前記請求項５〜７の何れかに記載の保護板一体型表示パネル
の製造方法において、前記充填材は少なくとも紫外線重合性をもった樹脂からなり、前記
第七工程は、前記保護板と前記表示素子とを互いに近づけるように押圧して前記表示素子
を前記基台の支持面に押し付けたまま、前記充填材の層のうちの予め定めた部分の前記充
填材を紫外線重合させ、その後に、前記押圧を解除し、前記充填材を前記充填材の層の全
体にわたって紫外線重合させる工程を含むことを特徴とする。
【手続補正１０】
【補正対象書類名】明細書
【補正対象項目名】００１３
【補正方法】変更
【補正の内容】
【００１３】
請求項９に記載の発明は、前記請求項４又は８に記載の保護板一体型表示パネルの製造
方法において、前記充填材の予め定めた部分は、少なくとも表示素子の中央部に対応する
部分であることを特徴とする。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】